(57)【特許請求の範囲】
【請求項１】
基板上に複数の発光素子が形成された対象物を検査する検査装置であって、
前記発光素子に照射される励起光を生成する光源部と、
前記励起光が照射された前記発光素子の発光を検出する光検出部と、
前記発光素子の発光色に関する情報を受け付ける入力部と、
前記入力部によって受付けられた前記発光色に関する情報に基づいて前記励起光の波長を決定し、該波長の前記励起光が生成されるように前記光源部を制御する制御部と、を備え、
前記制御部は、前記対象物の基板の吸収端波長よりも長く、且つ、前記発光色に関する情報から特定される前記発光素子の発光スペクトルのピーク波長よりも短い波長を、前記励起光の波長に決定する、検査装置。
【請求項２】
前記制御部は、前記発光素子の発光スペクトルのピーク波長から、該発光スペクトルの半値全幅を引いた波長よりも短い波長を、前記励起光の波長に決定する、請求項１記載の検査装置。
【請求項３】
前記光源部は、前記励起光の白色光源と、互いに異なる波長帯の前記励起光を透過する複数の第１のバンドパスフィルタとを有し、
前記制御部は、決定した前記励起光の波長に応じて前記第１のバンドパスフィルタを切り替える、請求項１又は２記載の検査装置。
【請求項４】
前記光源部は、互いに異なる波長の前記励起光を生成する複数の光源を有し、
前記制御部は、決定した前記励起光の波長に応じて前記複数の光源を切り替える、請求項１又は２記載の検査装置。
【請求項５】
互いに異なる波長帯の前記発光を透過する複数の第２のバンドパスフィルタを更に備え、
前記制御部は、決定した前記励起光の波長に応じて、前記発光素子から前記光検出部に至る光路に設置される前記第２のバンドパスフィルタを切り替える、請求項１〜４のいずれか一項記載の検査装置。
【請求項６】
互いに異なる波長を第１の分離波長として該第１の分離波長により前記励起光と前記発光とを分離する複数の第１の波長分離素子を更に備え、
前記制御部は、決定した前記励起光の波長に応じて、前記光源部から前記発光素子に至る光路且つ前記発光素子から前記光検出部に至る光路に設置される前記第１の波長分離素子を切り替える、請求項１〜５のいずれか一項記載の検査装置。
【請求項７】
互いに異なる波長を第２の分離波長として該第２の分離波長により前記第２の分離波長よりも長い波長の発光と前記第２の分離波長よりも短い波長の発光とを分離する複数の第２の波長分離素子を更に備え、
前記光検出部は、前記発光のうち前記第２の分離波長よりも長い波長の発光を検出する第１の光検出器と、前記発光のうち前記第２の分離波長よりも短い波長の発光を検出する第２の光検出器と、を有し、
前記制御部は、決定した前記励起光の波長に応じて、前記発光素子から前記第１の光検出器及び前記第２の光検出器に至る光路に設置される前記第２の波長分離素子を切り替える、請求項１〜６のいずれか一項記載の検査装置。
【請求項８】
互いに異なる波長帯の前記発光を透過する複数の第２のバンドパスフィルタと、互いに異なる波長を第１の分離波長として該第１の分離波長により前記励起光と前記発光とを分離する複数の第１の波長分離素子と、互いに異なる波長を第２の分離波長として該第２の分離波長により前記第２の分離波長よりも長い波長の発光と前記第２の分離波長よりも短い波長の発光とを分離する複数の第２の波長分離素子と、を更に備え、
前記光源部は、前記励起光の白色光源と、互いに異なる波長帯の前記励起光を透過する複数の第１のバンドパスフィルタとを有し、
前記光検出部は、前記発光のうち前記第２の分離波長よりも長い波長の発光を検出する第１の光検出器と、前記発光のうち前記第２の分離波長よりも短い波長の発光を検出する第２の光検出器と、を有し、
前記制御部は、決定した前記励起光の波長に応じて、前記第１のバンドパスフィルタ、前記第２のバンドパスフィルタ、前記第１の波長分離素子、及び前記第２の波長分離素子を一体的に切り替える、請求項１〜７のいずれか一項記載の検査装置。
【請求項９】
基板上に複数の発光素子が形成された対象物を検査する検査方法であって、
前記発光素子の発光色に関する情報を入力するステップと、
前記発光色に関する情報に基づいて、前記対象物の基板の吸収端波長、及び、前記発光素子の発光スペクトルのピーク波長を導出するステップと、
光源部から前記発光素子に照射される励起光の波長が、前記吸収端波長よりも長く、且つ、前記ピーク波長よりも短くなるように、前記光源部を制御するステップと、を含む検査方法。
【発明の詳細な説明】
【技術分野】
【０００１】
本発明は、検査装置及び検査方法に関する。
【背景技術】
【０００２】
基板上に形成された発光素子群の良・不良を判定する手法として、発光素子に針をあてて電気を流した際に生じる発光（エレクトロルミネッセンス）を計測するプロービングが知られている。しかしながら、例えばウェハ上に形成されたμＬＥＤ等の微細な発光素子については、複数の発光素子の１つ１つに針をあてて計測を行うプロービングが物理的に困難である。その他の手法として、例えば発光素子に励起光を照射して、発光素子が発するフォトルミネッセンスを観察することにより、発光素子の良否判定を行う手法が知られている（例えば特許文献１参照）。当該手法によれば、上述したμＬＥＤ等の微細な発光素子についても良・不良を効率的に判定することができる。
【先行技術文献】
【特許文献】
【０００３】
【特許文献１】特開２０１８−１３２３０８号公報
【発明の概要】
【発明が解決しようとする課題】
【０００４】
ここで、フォトルミネッセンスを観察することにより良否判定を行う手法においては、測定対象である発光素子の発光を適切に取得（観察）し、発光素子の良否判定を高精度に行うことが求められている。
【０００５】
本発明は上記実情に鑑みてなされたものであり、発光素子の良否判定を高精度に行うことを目的とする。
【課題を解決するための手段】
【０００６】
本発明の一態様に係る検査装置は、基板上に複数の発光素子が形成された対象物を検査する検査装置であって、発光素子に照射される励起光を生成する光源部と、励起光が照射された発光素子の発光を検出する光検出部と、発光素子の発光色に関する情報を受け付ける入力部と、入力部によって受付けられた発光色に関する情報に基づいて励起光の波長を決定し、該波長の励起光が生成されるように光源部を制御する制御部と、を備え、制御部は、対象物の基板の吸収端波長よりも長く、且つ、発光色に関する情報から特定される発光素子の発光スペクトルのピーク波長よりも短い波長を、励起光の波長に決定する。
【０００７】
本発明の一態様に係る検査装置では、発光素子の発光色に関する情報の入力が受け付けられ、励起光の波長が、発光素子の発光スペクトルのピーク波長よりも短い波長とされている。このように、発光素子の発光色に応じて励起光の波長が決定され、励起光の波長が発光素子の発光スペクトルのピーク波長よりも短くされることにより、発光素子の発光を適切に検出することができる。また、本発明の一態様に係る検査装置では、励起光の波長が、対象物の基板の吸収端波長よりも長い波長とされている。このことにより、基板に光が吸収されて励起光が発光素子に届きにくくなることを抑制すると共に、励起光によって基板が励起されることが抑制され、発光素子の発光以外の光が検出されることを抑制することができる。以上のように、本発明の一態様に係る検査装置によれば、測定対象である発光素子の発光を適切に取得し、該発光に基づき、発光素子の良否判定を高精度に行うことができる。
【０００８】
制御部は、発光素子の発光スペクトルのピーク波長から、該発光スペクトルの半値全幅を引いた波長よりも短い波長を、励起光の波長に決定してもよい。これにより、発光スペクトルに含まれるほとんどの波長帯よりも励起光の波長を短くすることができ、発光素子の発光を適切に検出することができる。
【０００９】
光源部は、励起光の白色光源と、互いに異なる波長帯の励起光を透過する複数の第１のバンドパスフィルタとを有し、制御部は、決定した励起光の波長に応じて第１のバンドパスフィルタを切り替えてもよい。このように、バンドパスフィルタの切り替えにより励起光の波長を変化させることによって、波長を変化させるために光源を複数設ける必要がなく、装置を小型化することができる。
【００１０】
光源部は、互いに異なる波長の励起光を生成する複数の光源を有し、制御部は、決定した励起光の波長に応じて複数の光源を切り替えてもよい。このような構成によれば、バンドパスフィルタを複数設けることなく、シンプルな装置構成で励起光の波長を変化させることができる。
【００１１】
検査装置は、互いに異なる波長帯の発光を透過する複数の第２のバンドパスフィルタを更に備え、制御部は、決定した励起光の波長に応じて、発光素子から光検出部に至る光路に設置される第２のバンドパスフィルタを切り替えてもよい。これにより、発光素子の発光色に応じた励起光の波長の決定に連動して、適切な第２のバンドパスフィルタを設定することができる。このことで、発光を検出する上で適切なバンドパスフィルタを、スムーズに設定することができる。
【００１２】
検査装置は、互いに異なる波長を第１の分離波長として該第１の分離波長により励起光と発光とを分離する複数の第１の波長分離素子を更に備え、制御部は、決定した励起光の波長に応じて、光源部から発光素子に至る光路且つ発光素子から光検出部に至る光路に設置される第１の波長分離素子を切り替えてもよい。これにより、発光素子の発光色に応じた励起光の波長の決定に連動して、適切な第１の波長分離素子を設定することができる。このことで、発光を検出する上で適切な波長分離素子を、スムーズに設定することができる。
【００１３】
検査装置は、互いに異なる波長を第２の分離波長として該第２の分離波長により第２の分離波長よりも長い波長の発光と第２の分離波長よりも短い波長の発光とを分離する複数の第２の波長分離素子を更に備え、光検出部は、発光のうち第２の分離波長よりも長い波長の発光を検出する第１の光検出器と、発光のうち第２の分離波長よりも短い波長の発光を検出する第２の光検出器と、を有し、制御部は、決定した励起光の波長に応じて、発光素子から第１の光検出器及び第２の光検出器に至る光路に設置される第２の波長分離素子を切り替えてもよい。これにより、発光素子の発光色に応じた励起光の波長の決定に連動して、適切な第２の波長分離素子を設定することができる。このことで、長波長側の発光及び短波長側の発光を２つの光検出器により検出する構成において、発光を検出する上で適切な波長分離素子を、スムーズに設定することができる。
【００１４】
検査装置は、互いに異なる波長帯の発光を透過する複数の第２のバンドパスフィルタと、互いに異なる波長を第１の分離波長として該第１の分離波長により励起光と発光とを分離する複数の第１の波長分離素子と、互いに異なる波長を第２の分離波長として該第２の分離波長により第２の分離波長よりも長い波長の発光と第２の分離波長よりも短い波長の発光とを分離する複数の第２の波長分離素子と、を更に備え、光源部は、励起光の白色光源と、互いに異なる波長帯の励起光を透過する複数の第１のバンドパスフィルタとを有し、光検出部は、発光のうち第２の分離波長よりも長い波長の発光を検出する第１の光検出器と、発光のうち第２の分離波長よりも短い波長の発光を検出する第２の光検出器と、を有し、制御部は、決定した励起光の波長に応じて、第１のバンドパスフィルタ、第２のバンドパスフィルタ、第１の波長分離素子、及び第２の波長分離素子を一体的に切り替えてもよい。これにより、発光素子の発光色に応じた励起光の波長の決定に連動して、よりスムーズに、発光を検出するのに適した各構成を設定することができる。
【００１５】
本発明の一態様に係る検査方法は、基板上に複数の発光素子が形成された対象物を検査する検査方法であって、発光素子の発光色に関する情報を入力するステップと、発光色に関する情報に基づいて、対象物の基板の吸収端波長、及び、発光素子の発光スペクトルのピーク波長を導出するステップと、光源部から発光素子に照射される励起光の波長が、吸収端波長よりも長く、且つ、ピーク波長よりも短くなるように、光源部を制御するステップと、を含む。
【発明の効果】
【００１６】
本発明によれば、発光素子の良否判定を高精度に行うことができる。
【図面の簡単な説明】
【００１７】
【図１】本発明の実施形態に係る検査装置の較正図である。
【図２】発光スペクトルを説明する図である。
【図３】検査方法のフローチャートである。
【発明を実施するための形態】
【００１８】
以下、本発明の実施形態について、図面を参照して詳細に説明する。なお、各図において同一又は相当部分には同一符号を付し、重複する説明を省略する。
【００１９】
図１は、本実施形態に係る検査装置１の構成図である。検査装置１は、サンプルＳ(対象物)を検査する装置である。サンプルＳは、例えば、基板上に複数の発光素子が形成された半導体デバイスである。発光素子は、例えばＬＥＤ、ミニＬＥＤ、μＬＥＤ、ＳＬＤ素子、レーザ素子、垂直型レーザ素子（ＶＣＳＥＬ）等である。なお、本実施形態においてサンプルＳの基板とは、シリコン又はサファイア等の層だけでなく、当該層の上にエピタキシャル成長によって形成されたＧａＮ等の層も含むものである。検査装置１は、サンプルＳにおいて形成されている複数の発光素子について、フォトルミネッセンス（具体的には蛍光等の発光）を観察することにより、各発光素子の良否判定を行う。発光素子の良否判定は、例えばプロービングによって（すなわち電気的特性に基づいて）行うことが考えられる。しかしながら、例えばμＬＥＤ等の微細なＬＥＤについては、針をあてて計測を行うプロービングが物理的に困難である。この点、本実施形態に係るフォトルミネッセンスに基づく発光素子の良否判定方法は、蛍光画像を取得することによって良否判定を行うことができるので、物理的な制約にとらわれることなく、大量の発光素子を効率的に良否判定することができる。
【００２０】
図１に示されるように、検査装置１は、チャック１１と、ＸＹステージ１２と、光源部２０と、複数の波長分離素子４０（第１の波長分離素子）と、対物レンズ５１と、Ｚステージ５２と、複数の波長分離素子６０（第２の波長分離素子）と、結像レンズ７１，７２と、カメラ８１（光検出部，第１の光検出器），８２（光検出部，第２の光検出器）と、暗箱９０と、制御装置１００（制御部）と、モニタ１１０と、キーボード１２０（入力部）と、それぞれ複数のバンドパスフィルタ２０２，２０３（第２のバンドパスフィルタ）と、を備えている。暗箱９０は、上述した構成のうち制御装置１００、モニタ１１０、及びキーボード１２０以外の構成を収容しており、収容した各構成に外部の光の影響が及ぼされることを回避するために設けられている。なお、暗箱９０に収容される各構成は、カメラ８１，８２において撮像される画像の質の向上（画質の向上及び画像の位置ずれ防止）を図るべく除振台の上に搭載されていてもよい。
【００２１】
チャック１１は、サンプルＳを保持する保持部材である。チャック１１は、例えばサンプルＳの基板を真空吸着することにより、サンプルＳを保持する。ＸＹステージ１２は、サンプルＳを保持しているチャック１１をＸＹ方向（前後・左右方向）、すなわちチャック１１におけるサンプルＳの載置面に沿った方向に移動させるステージである。ＸＹステージ１２は、制御装置１００の制御に応じて、複数の発光素子のそれぞれが順次、励起光の照射領域とされるように、チャック１１をＸＹ方向に移動させる。なお、検査装置１は、更に回転ステージ（Θステージ。不図示）を備えていてもよい。このような回転ステージは、例えばＸＹステージ１２の上且つチャック１１の下に設けられていてもよいし、ＸＹステージ１２と一体的に設けられていてもよい。回転ステージは、サンプルＳの縦横の位置を精度よく合わせるためのものである。回転ステージが設けられることによって、位置合わせ等の時間を短縮し、データ処理のトータル時間を短縮することができる。
【００２２】
光源部２０は、発光素子に照射される励起光を生成する。光源部２０は、１つの励起光源２１と、光学系２２とを有する。励起光源２１は、サンプルＳに照射される励起光を生成し、該励起光をサンプルＳに照射する光源である。励起光源２１は、例えばサンプルＳの発光素子を励起させる波長を含む光を生成可能な白色光源であればよい。白色光源は、例えばＬＥＤ、レーザ、ハロゲンランプ、水銀ランプ、Ｄ２ランプ、プラズマ光源等である。なお、検査装置１は、励起光源２１から出射される励起光の輝度を一定に保つべく、照明輝度をモニタするセンサをさらに備えていてもよい。
【００２３】
光学系２２は、光ファイバケーブル２２ａと、導光レンズ２２ｂと、複数のバンドパスフィルタ２２ｃ（第１のバンドパスフィルタ）と、を含んで構成されている。光ファイバケーブル２２ａは、励起光源２１に接続された導光用の光ファイバケーブルである。光ファイバケーブル２２ａとしては、例えば、偏波保存ファイバ又はシングルモードファイバ等を用いることができる。導光レンズ２２ｂは、例えば単独又は複合の凸レンズであり、光ファイバケーブル２２ａを介して到達した励起光を波長分離素子４０方向に導く。
【００２４】
複数のバンドパスフィルタ２２ｃは、互いに異なる波長帯の励起光を透過するフィルタである。すなわち、複数のバンドパスフィルタ２２ｃは、フィルタリングする波長帯の領域が互いに異なっている。複数のバンドパスフィルタ２２ｃは、後述する制御装置１００によって１つのみ選択され、切り替えて設定される。バンドパスフィルタ２２ｃは、励起光源２１から出射される励起光の波長が経時的に変化することを防ぐ用途で導光レンズ２２ｂと波長分離素子４０との間に設けられる。
【００２５】
複数の波長分離素子４０は、互いに異なる波長を第１の分離波長として該第１の分離波長により励起光と発光とを分離する。すなわち、複数の波長分離素子４０は、励起光と発光とを分離する基準となる分離波長が互いに異なっている。複数の波長分離素子４０は、後述する制御装置１００によって１つのみ選択され、切り替えて設定される。波長分離素子４０は、誘電体多層膜等の光学素材を用いて作成されたダイクロイックミラーであり、特定の波長の光を反射すると共に、その他の波長の光を透過する。具体的には、波長分離素子４０は、励起光を対物レンズ５１方向に反射すると共に、励起光とは異なる波長帯の光である発光素子からのフォトルミネッセンス（詳細には蛍光等の発光）を波長分離素子６０方向に透過するように構成されている。
【００２６】
対物レンズ５１は、サンプルＳを観察するための構成であり、波長分離素子４０によって導かれた励起光をサンプルＳに集光する。Ｚステージ５２は、対物レンズ５１をＺ方向（上下方向）、すなわちチャック１１におけるサンプルＳの載置面に交差する方向に移動させてフォーカス調整を行う。
【００２７】
複数の波長分離素子６０は、互いに異なる波長を第２の分離波長として該第２の分離波長により、第２の分離波長よりも長い波長の発光と第２の分離波長よりも短い波長の発光とを分離する。すなわち、複数の波長分離素子６０は、長波長側の発光と低波長側の発光とを分離する基準となる分離波長が互いに異なっている。複数の波長分離素子６０は、後述する制御装置１００によって１つのみ選択され、切り替えて設定される。波長分離素子６０は、誘電体多層膜等の光学素材を用いて作成されたダイクロイックミラーであり、特定の波長の光を反射すると共に、その他の波長の光を透過する。このダイクロイックミラーは、波長に対する透過率（反射率）変化が急峻な特性のものだけでなく、波長に対する透過率（反射率）が約１００ｎｍ程度の幅をもって緩やかに変化するような特性のものでもよい。波長分離素子６０は、第２の分離波長よりも短い波長の発光を透過せずに（反射し）、第２の分離波長よりも長い波長の蛍光を透過するように構成されている。波長分離素子６０が反射する短い波長の発光は、例えば、正常発光スペクトルに含まれる波長の発光（本来発光波長の発光）であり、波長分離素子６０が透過する長い波長の蛍光は正常発光スペクトルに含まれない波長の発光（長波長側の発光）である。なお、本来発光波長は、例えば予め発光素子の仕様から既知である波長であってもよく、発光素子からの蛍光を分光器により実測した強度のピークとなる波長であってもよい。なお、詳細には、波長分離素子６０は、第２の分離波長よりも短い波長の発光の一部を透過し、また、第２の分離波長よりも長い波長の発光の一部を反射すると考えられるが、概ね、第２の分離波長よりも短い波長の発光を反射すると共に第２の分離波長よりも長い波長の発光を透過することから、以下では単に、「波長分離素子６０は第２の分離波長よりも短い波長の発光を反射し、第２の分離波長よりも長い波長の発光を透過する」として説明する。第２の分離波長よりも長い波長の発光（長波長側の発光）は、波長分離素子６０を経て結像レンズ７１に達する。第２の分離波長よりも短い波長の発光（本来発光波長の発光）は、波長分離素子６０を経て結像レンズ７２に達する。なお、波長分離素子６０は、必ずしもダイクロイックミラーでなくともよく、例えばハーフミラーとバンドパスフィルタ２０２，２０３との組み合わせによって実現されてもよい。
【００２８】
複数のバンドパスフィルタ２０２は、互いに異なる波長帯の発光を透過するフィルタである。すなわち、複数のバンドパスフィルタ２０２は、フィルタリングする波長帯の領域が互いに異なっている。複数のバンドパスフィルタ２０２は、後述する制御装置１００によって１つのみ選択され、切り替えて設定される。バンドパスフィルタ２０２は、長波長側の余計な発光を防ぐために、波長分離素子６０とカメラ８１との間に設けられる。複数のバンドパスフィルタ２０３は、互いに異なる波長帯の発光を透過するフィルタである。すなわち、複数のバンドパスフィルタ２０３は、フィルタリングする波長帯の領域が互いに異なっている。複数のバンドパスフィルタ２０３は、後述する制御装置１００によって１つのみ選択され、切り替えて設定される。バンドパスフィルタ２０３は、短波長側の発光の計測において波長分離素子６０の表面反射に伴う長波長側の発光の混入を防ぐために、波長分離素子６０とカメラ８２との間に設けられる。
【００２９】
結像レンズ７１は、長波長側の発光を結像させ、該発光をカメラ８１に導くレンズである。カメラ８１は、サンプルＳからの発光を撮像する撮像部である。より詳細には、カメラ８１は、発光素子からの発光のうち上述した第２の分離波長よりも長い波長の発光（長波長側の発光）を撮像して検出する。カメラ８１は、撮像結果である長波長側の発光画像を制御装置１００に出力する。カメラ８１は、例えばＣＣＤやＭＯＳ等のエリアイメージセンサである。また、カメラ８１は、ラインセンサやＴＤＩ（Time Delay Integration）センサによって構成されていてもよい。
【００３０】
結像レンズ７２は、本来発光波長の発光を結像させ、該発光をカメラ８２に導くレンズである。カメラ８２は、サンプルＳからの発光を撮像する撮像部である。より詳細には、カメラ８２は、発光素子からの発光のうち上述した第２の分離波長よりも短い波長の発光であって発光素子の正常発光スペクトルＥＳに含まれる波長の発光（本来発光波長の発光）を撮像して検出する。カメラ８２は、撮像結果である本来発光波長の発光画像を制御装置１００に出力する。カメラ８２は、例えばＣＣＤやＭＯＳ等のエリアイメージセンサである。また、カメラ８２は、ラインセンサやＴＤＩセンサによって構成されていてもよい。
【００３１】
制御装置１００は、コンピュータであって、物理的には、ＲＡＭ、ＲＯＭ等のメモリ、ＣＰＵ等のプロセッサ（演算回路）、通信インターフェイス、ハードディスク等の格納部を備えて構成されている。かかる制御装置１００としては、例えばパーソナルコンピュータ、クラウドサーバ、スマートデバイス（スマートフォン、タブレット端末など）などが挙げられる。制御装置１００は、メモリに格納されるプログラムをコンピュータシステムのＣＰＵで実行することにより機能する。制御装置１００は、ＸＹステージ１２、励起光源２１、Ｚステージ５２、及びカメラ８１，８２を制御する。具体的には、制御装置１００は、ＸＹステージ１２を制御することにより励起光の照射領域（サンプルＳにおける照射領域）を調整する。制御装置１００は、Ｚステージ５２を制御することにより励起光に係るフォーカス調整を行う。制御装置１００は、励起光源２１を制御することにより励起光の出射調整並びに励起光の波長及び振幅等の調整を行う。制御装置１００は、カメラ８１，８２を制御することにより発光画像の取得に係る調整を行う。
【００３２】
また、制御装置１００は、カメラ８１，８２によって撮像された発光画像に基づいて、サンプルＳの発光素子の良否判定を行う。制御装置１００は、カメラ８１によって取得された長波長側の発光画像、及び、カメラ８２によって取得された本来発光波長の発光画像に基づいて、発光素子の良否を判定する。制御装置１００は、例えば、カメラ８２によって取得された本来発光波長の発光画像に基づいて発光素子の良否を判定すると共に、該判定の後に、該判定において良と判定された発光素子について、カメラ８１によって取得された長波長側の発光画像に基づいて良否を判定する。
【００３３】
制御装置１００は、まず、発光画像に基づいて発光素子の位置を特定し、各発光素子の発光エリアを特定する。発光素子の位置の特定は、例えば発光画像内の位置とＸＹステージ１２の位置の換算によって行われる。なお、制御装置１００は、予めサンプルＳ全体のパターン像を取得しておき、パターン像ないし発光画像から、発光素子の位置を認識（特定）してもよい。そして、制御装置１００は、本来発光波長の発光画像に基づいて各発光素子の発光エリア内の平均輝度を導出し、各発光素子についてアドレス位置と輝度（発光エリア内の平均輝度）とを紐づける。制御装置１００は、各アドレス（各発光素子）について、絶対輝度と相対輝度とから評価指数を導出する。相対輝度とは、導出対象の発光素子と該発光素子の周辺の発光素子とを含む発光素子群の平均輝度に対する導出対象の発光素子の輝度比率である。制御装置１００は、例えば、絶対輝度と相対輝度との積から評価指数を導出する。或いは、制御装置１００は、絶対輝度と相対輝度のｎ乗（ｎは自然数。例えば２）との積から評価指数を導出する。制御装置１００は、同一の発光画像に含まれる各発光素子それぞれについて上述した評価指数の導出を行う。また、制御装置１００は、照射領域を変更することにより新たな発光画像（本来発光波長の発光画像）を取得し、該発光画像に含まれる各発光素子それぞれについて評価指数の導出を行う。制御装置１００は、全ての発光素子について評価指数を導出すると、該評価指数の高い順に発光素子のソート（並び替え）を行う。ソートを行うと、評価指数は、ある点（変化点）を境に急激に小さくなっていることがわかる。制御装置１００は、例えばこのような変化点を閾値として、評価指数が該閾値以上である発光素子を良品（良ピクセル）、該閾値よりも小さい発光素子を不良品（不良ピクセル）と判定してもよい。なお、閾値は、例えば、事前に閾値決定用の参照半導体デバイスを用いて、蛍光（フォトルミネッセンス）に基づく発光素子の良否判定結果と、プロービングに基づく良否判定結果（電気的特性に基づく良否判定結果）とを比較して決定されていてもよい。
【００３４】
また、制御装置１００は、長波長側の発光画像に基づいて各発光素子の発光エリア内における輝点（発光スポット）を検出し、各発光素子についてアドレス位置と輝点数とを紐づける。このような、正常発光スペクトルよりも長波長側の輝点（発光スポット）は、異常発光箇所である。そして、制御装置１００は、上述した本来発光波長の発光画像に基づく良否判定において良品であると判定された発光素子について、長波長側の発光画像に一定数以上の輝点が含まれているか否かを判定し、一定数以上の輝点が含まれていない発光素子を良品（良ピクセル）、一定数以上の輝点が含まれている発光素子を不良品（不良ピクセル）と判定する。このような例では、本来発光波長の発光画像に基づいて良品であると判定された発光素子であっても、長波長側の蛍光画像に基づいて不良品であると判定される場合がある。
【００３５】
なお、制御装置１００は、カメラ８２によって取得された本来発光波長の発光画像に基づいて発光素子の良品判定を行った後に、該判定において不良と判定された発光素子について、カメラ８１によって取得された長波長側の発光画像に基づいて良否を判定してもよい。また、制御装置１００は、全ての発光素子について、長波長側の発光画像に基づく良否判定を行ってもよい。このように、制御装置１００は、本来発光波長の発光画像に基づいて良と判定された発光素子についてのみ長波長側の発光画像に基づいて良否判定を行ってもよいし、本来発光波長の発光画像に基づいて不良と判定された発光素子についてのみ長波長側の発光画像に基づいて良否判定を行ってもよいし、本来発光波長の発光画像に基づく良否判定結果によらずに全ての発光素子について長波長側の発光画像に基づく良否判定を行ってもよい。
【００３６】
制御装置１００は、各発光素子の良否判定結果を出力する。当該良否判定結果は、例えばモニタ１１０に表示される。また、制御装置１００は、発光素子内における不良個所（例えば長波長側の輝点の箇所）を特定し、該不良個所の位置を出力（モニタ１１０に表示されるように出力）してもよい。
【００３７】
制御装置１００は、上述した良否判定をより高精度に行うべく、発光素子の発光色に関する情報に応じた所定の制御を行っている。発光素子の発光色に関する情報については、例えばユーザによるキーボード１２０の入力によって受付けられ、制御装置１００に入力される。
【００３８】
制御装置１００は、キーボード１２０によって受付けられた発光色に関する情報に基づいて、励起光の波長を決定する。具体的には、制御装置１００は、サンプルＳの基板の吸収端波長よりも長く、且つ、発光色に関する情報から特定される発光素子の発光スペクトルのピーク波長よりも短い波長を、励起光の波長に決定する。基板の吸収端波長とは、基板において光吸収が起こる最も長い波長である。基板の吸収端波長は、母材のバンドギャップにより決まる。基板の吸収端波長よりも長い波長の光は、基板を透過する。上述したように、サンプルＳの基板とは、シリコン又はサファイア等の層だけでなく、当該層の上にエピタキシャル成長によって形成されたＧａＮ等の層も含むものである。励起光の波長が基板の吸収端波長よりも長くされることにより、励起光によって基板が励起されること（基板からの発光が生じること）が抑制される。また、励起光の波長が発行スペクトルのピーク波長よりも短い波長とされることにより、発光素子を適切に励起させて発光素子からの発光を適切に取得することができる。制御装置１００は、より詳細には、発光素子の発光スペクトルのピーク波長から、該発光スペクトルの半値全幅を引いた（半値全幅の差をとった）波長よりも短い波長を、励起光の波長に決定する。
【００３９】
図２は、各条件の発光スペクトルを説明する図である。図２において、横軸は波長を、縦軸は輝度（Ａ．Ｕ．）を示している。また、図２において、細い破線は励起光の波長を３７０ｎｍとした場合のサンプルＳの発光スペクトルを、太い破線は励起光の波長を３５５ｎｍとした場合のサンプルＳの発光スペクトルを、実線は電気を流した場合のサンプルＳの発光スペクトルを、それぞれ示している。サンプルＳが製品化されて利用されるシーンにおいては、発光素子に電気が流されて利用される。そのため、励起光の照射によって発光素子の良否判定を行う場合においても、その発光スペクトルが、発光素子に電気を流した場合の発光スペクトルに近似することが好ましい。なお、励起光により発光素子を励起した場合と電気を流した場合とでは、実際には発光の輝度のレベルは異なるが、ここでは、発光スペクトルの形状が重要であるため、輝度のレベルの違いは適宜調整して図示している。
【００４０】
いま、観察対象のサンプルＳの発光素子が青色のＬＥＤである（発光色が青色である）とする。この場合、発光素子の発光波長幅は、例えば４２０ｎｍ〜４８０ｎｍである。また、サンプルＳのＧａｎ基板の吸収端波長が３６５ｎｍであるとする。このような条件において、図２に示されるように、励起光の波長が３５５ｎｍとされた場合、すなわち励起光の波長が基板の吸収端波長よりも短くされた場合には、発光スペクトル（図２の「ＰＬ（３５５）」）が、発光素子に電気を流した場合の発光スペクトル（図２の「ＥＬ」）と大きく異なっている。これは、励起光の波長が基板の吸収端波長よりも短くされることによって基板からの発光の影響を受けたためと考えられる。一方で、図２に示されるように、励起光の波長が３７０ｎｍとされた場合、すなわち励起光の波長が基板の吸収端波長よりも長くされた場合には、発光スペクトル（図２の「ＰＬ（３７０）」）が、発光素子に電気を流した場合の発光スペクトル（図２の「ＥＬ」）に近似している。このように、励起光の波長がサンプルＳの基板の吸収端波長よりも長くされることにより、基板からの発光の影響を受けずに適切な発光スペクトルを得ることができる。上記の例の場合、励起光の波長は、基板の吸収端波長である３６５ｎｍ〜４２０ｎｍの範囲とされることが好ましい。なお、励起光の波長は、上記範囲内で極力長くされたほうが、量子井戸の中間領域を励起せず発光の強度のコントラストが大きくなるため好ましい。なお、例えば発光素子が緑色のＬＥＤである（発光色が緑色である）場合においては、発光素子の発光波長幅は、例えば４９０ｎｍ〜５５０ｎｍである。この場合には、励起光の波長は、基板の吸収端波長である３６５ｎｍ〜４９０ｎｍの範囲とされることが好ましい。
【００４１】
制御装置１００は、決定した波長の励起光が生成されるように、光源部２０を制御する。具体的には、制御装置１００は、決定した波長の励起光が光源部２０から出射されて発光素子に照射されるように、決定した波長の励起光を透過するバンドパスフィルタ２２ｃを選択し、該バンドパスフィルタ２２ｃを、光源部２０から波長分離素子４０に至る光路に設置する。このように、制御装置１００は、決定した励起光の波長に応じてバンドパスフィルタ２２ｃを切り替える。なお、検査装置１は、互いに異なる波長の励起光を生成する複数の励起光源２１を有していてもよい。この場合、励起光源２１は互いに異なる単色の光を生成可能な複数の光源から構成されていてもよく、複数の光源は例えばＬＥＤ、ＳＬＤ、レーザ等である。この場合には、制御装置１００は、決定した波長の励起光を生成可能な励起光源２１を選択して励起光を生成させることにより、上述した、バンドパスフィルタ２２ｃを切り替えて設定する態様と同様に、所望の波長の励起光を生成することができる。すなわち、制御装置１００は、決定した励起光の波長に応じて複数の励起光源２１を切り替えてもよい。
【００４２】
制御装置１００は、決定した励起光の波長に応じて、発光素子からカメラ８１に至る光路に設置されるバンドパスフィルタ２０２を切り替えてもよい。この場合、制御装置１００は、例えば励起光の波長の決定に係る発光素子の発光色を考慮して、長波長側の余計な発光を防ぐことができるバンドパスフィルタ２０２を選択する。また、制御装置１００は、決定した励起光の波長に応じて、発光素子からカメラ８２に至る光路に設置されるバンドパスフィルタ２０３を切り替えてもよい。この場合、制御装置１００は、例えば励起光の波長の決定に係る発光素子の発光色を考慮して、長波長側の発光が短波長側の発光の計測において混入することを防ぐことができるバンドパスフィルタ２０３を選択する。
【００４３】
制御装置１００は、決定した励起光の波長に応じて、光源部２０から発光素子に至る光路且つ発光素子からカメラ８１，８２に至る光路に設置される波長分離素子４０を切り替えてもよい。この場合、制御装置１００は、例えば発光素子の発光色及び励起光の波長を考慮して、励起光を対物レンズ５１方向に反射すると共に、発光を波長分離素子６０方向に透過することができる波長分離素子４０を選択する。
【００４４】
制御装置１００は、決定した励起光の波長に応じて、発光素子からカメラ８１及びカメラ８２に至る光路に設置される波長分離素子６０を切り替えてもよい。この場合、制御装置１００は、例えば発光素子の発光色を考慮して、本来発光波長の発光と長波長側の発光とを適切に分離することができる（第２の分離波長が適切である）波長分離素子６０を選択する。
【００４５】
なお、制御装置１００は、決定した励起光の波長に応じて、バンドパスフィルタ２２ｃ、バンドパスフィルタ２０２，２０３、波長分離素子４０、及び波長分離素子６０を一体的に切り替えてもよい。すなわち、制御装置１００は、励起光の波長の決定に連動して、上述したバンドパスフィルタ２２ｃ、バンドパスフィルタ２０２，２０３、波長分離素子４０、及び波長分離素子６０の切り替えを同時に行ってもよい。
【００４６】
次に、図３を参照して、検査方法について説明する。図３は、検査装置１を用いて行う検査方法のフローチャートである。当該検査方法は、基板上に複数の発光素子が形成されたサンプルＳを検査する検査方法である。
【００４７】
図３に示されるように、最初に発光素子の発光色に関する情報をキーボード１２０から入力する（ステップＳ１，入力するステップ）。検査装置１は、当該発光色に関する情報の入力を受け付ける。
【００４８】
つづいて、検査装置１は、発光色に関する情報に基づいて励起光の波長を決定する（ステップＳ２）。具体的には、検査装置１は、発光色に関する情報に基づいて、サンプルＳの基板の吸収端波長、及び、発光素子の発光スペクトルのピーク波長を導出する（導出するステップ）。
【００４９】
つづいて、検査装置１は、決定した励起光の波長となるように、光源部２０のバンドパスフィルタ２２ｃを設定する（ステップＳ３）。すなわち、検査装置１は、励起光の波長が基板の吸収端波長よりも長く、且つ、発光スペクトルのピーク波長よりも短くなるように、光源部２０を制御する（制御するステップ）。
【００５０】
つづいて、検査装置１は、決定した励起光の波長に応じて、バンドパスフィルタ２２ｃ、バンドパスフィルタ２０２，２０３、波長分離素子４０、及び波長分離素子６０を一体的に設定する（ステップＳ４）。
【００５１】
つづいて、検査装置１は、発光素子に励起光を照射し、発光素子からの発光（蛍光）を検出する（ステップＳ５）。そして、検査装置１は、当該発光素子からの発光に基づいて、発光素子の良否判定を行う（ステップＳ６）。
【００５２】
次に、本実施形態に係る検査装置１の作用効果について説明する。
【００５３】
検査装置１は、基板上に複数の発光素子が形成されたサンプルＳを検査する検査装置であって、発光素子に照射される励起光を生成する光源部２０と、励起光が照射された発光素子の発光を検出するカメラ８１，８２と、発光素子の発光色に関する情報の入力を受け付けるキーボード１２０と、キーボード１２０によって受付けられた発光色に関する情報に基づいて励起光の波長を決定し、該波長の励起光が生成されるように光源部２０を制御する制御装置１００と、を備え、制御装置１００は、サンプルＳの基板の吸収端波長よりも長く、且つ、発光色に関する情報から特定される発光素子の発光スペクトルのピーク波長よりも短い波長を、励起光の波長に決定する。
【００５４】
このような検査装置１では、発光素子の発光色に関する情報の入力が受け付けられ、励起光の波長が、発光素子の発光スペクトルのピーク波長よりも短い波長とされている。このように、発光素子の発光色に応じて励起光の波長が決定され、励起光の波長が発光素子の発光スペクトルのピーク波長よりも短くされることにより、発光素子の発光を適切に検出することができる。また、本発明の一態様に係る検査装置では、励起光の波長が、サンプルＳの基板の吸収端波長よりも長い波長とされている。このことにより、基板に光が吸収されて励起光が発光素子に届きにくくなることが抑制される。また、励起光によって基板が励起されることが抑制され、発光素子の発光以外の光が検出されることを抑制することができる。以上のように、検査装置１によれば、測定対象である発光素子の発光を適切に取得し、該発光に基づき、発光素子の良否判定を高精度に行うことができる。
【００５５】
制御装置１００は、発光素子の発光スペクトルのピーク波長から、該発光スペクトルの半値全幅を引いた波長よりも短い波長を、励起光の波長に決定してもよい。これにより、発光スペクトルに含まれるほとんどの波長帯よりも励起光の波長を短くすることができ、発光素子の発光を適切に検出することができる。
【００５６】
光源部２０は、励起光の白色光源と、互いに異なる波長帯の励起光を透過する複数のバンドパスフィルタ２２ｃとを有し、制御装置１００は、決定した励起光の波長に応じてバンドパスフィルタ２２ｃを切り替えてもよい。このように、バンドパスフィルタ２２ｃの切り替えにより励起光の波長を変化させることによって、波長を変化させるために励起光源２１を複数設ける必要がなく、検査装置１を小型化することができる。
【００５７】
光源部２０は、互いに異なる波長の励起光を生成する複数の励起光源２１を有し、制御装置１００は、決定した励起光の波長に応じて複数の励起光源２１を切り替えてもよい。このような構成によれば、バンドパスフィルタ２２ｃを複数設けることなく、シンプルな装置構成で励起光の波長を変化させることができる。
【００５８】
検査装置１は、互いに異なる波長帯の発光を透過する複数のバンドパスフィルタ２０２，２０３を更に備え、制御装置１００は、決定した励起光の波長に応じて、発光素子からカメラ８１に至る光路に設置されるバンドパスフィルタ２０２、及び、発光素子からカメラ８２に至る光路に設置されるバンドパスフィルタ２０３を切り替えてもよい。これにより、発光素子の発光色に応じた励起光の波長の決定に連動して、適切なバンドパスフィルタ２０２，２０３を設定することができる。このことで、発光を検出する上で適切なバンドパスフィルタ２０２，２０３を、スムーズに設定することができる。
【００５９】
検査装置１は、互いに異なる波長を第１の分離波長として該第１の分離波長により励起光と発光とを分離する複数の波長分離素子４０を更に備え、制御装置１００は、決定した励起光の波長に応じて、光源部２０から発光素子に至る光路且つ発光素子からカメラ８１，８２に至る光路に設置される波長分離素子４０を切り替えてもよい。これにより、発光素子の発光色に応じた励起光の波長の決定に連動して、適切な波長分離素子４０を設定することができる。このことで、発光を検出する上で適切な波長分離素子４０を、スムーズに設定することができる。
【００６０】
検査装置１は、互いに異なる波長を第２の分離波長として該第２の分離波長により第２の分離波長よりも長い波長の発光と第２の分離波長よりも短い波長の発光とを分離する複数の波長分離素子６０を更に備え、発光のうち第２の分離波長よりも長い波長の発光を検出するカメラ８１と、発光のうち第２の分離波長よりも短い波長の発光を検出するカメラ８２と、を有し、制御装置１００は、決定した励起光の波長に応じて、発光素子からカメラ８１及びカメラ８２に至る光路に設置される波長分離素子６０を切り替えてもよい。これにより、発光素子の発光色に応じた励起光の波長の決定に連動して、適切な波長分離素子６０を設定することができる。このことで、長波長側の発光及び短波長側の発光を２つの光検出器により検出する構成において、発光を検出する上で適切な波長分離素子６０を、スムーズに設定することができる。
【００６１】
制御装置１００は、決定した励起光の波長に応じて、バンドパスフィルタ２２ｃ、バンドパスフィルタ２０２，２０３、波長分離素子４０、及び波長分離素子６０を一体的に切り替えてもよい。これにより、発光素子の発光色に応じた励起光の波長の決定に連動して、よりスムーズに、発光を検出するのに適した各構成を設定することができる。
【符号の説明】
【００６２】
１…検査装置、２０…光源部、２１…励起光源、２２ｃ…バンドパスフィルタ、４０…波長分離素子、６０…波長分離素子、８１，８２…カメラ、１００…制御装置、１２０…キーボード、２０２，２０３…バンドパスフィルタ。
【要約】
【課題】発光素子の良否判定を高精度に行うこと。
【解決手段】検査装置１は、基板上に複数の発光素子が形成されたサンプルＳを検査する検査装置であって、発光素子に照射される励起光を生成する光源部２０と、励起光が照射された発光素子の発光を検出するカメラ８１，８２と、発光素子の発光色に関する情報の入力を受け付けるキーボード１２０と、キーボード１２０によって受付けられた発光色に関する情報に基づいて励起光の波長を決定し、該波長の励起光が生成されるように光源部２０を制御する制御装置１００と、を備え、制御装置１００は、サンプルＳの基板の吸収端波長よりも長く、且つ、発光色に関する情報から特定される発光素子の発光スペクトルのピーク波長よりも短い波長を、励起光の波長に決定する。
【選択図】図１【図１】
0006894019.tif 000002
【図２】
0006894019.tif 000003
【図３】
0006894019.tif 000004